(57)【要約】【課題】煤塵排出量を増加させることなく噴霧媒体の消費率抑制が可能となる重質油焚きボイラの燃焼方法を提供する。【解決手段】燃焼バーナ２０の燃料噴霧器に重質油燃料及び微粒化流体の蒸気を導入して混合し、微粒化された重質油噴霧粒子を含む混合流体を燃焼用空気とともに火炉１１内へ噴射投入して燃焼させる重質油焚きボイラ１０の燃焼方法であって、火炉１１の上下方向に複数段配置されている燃焼バーナ２０から噴射投入される重質油噴霧粒子の粒径は、下段側より上段側が小さくなるように設定されている。【選択図】図１
2015124942.tif 000002
【特許請求の範囲】
【請求項１】
燃焼バーナの燃料噴霧器に重質油燃料及び微粒化流体を導入して混合し、微粒化された重質油噴霧粒子を含む混合流体を燃焼用空気とともに火炉内へ噴射投入して燃焼させる重質油焚きボイラの燃焼方法であって、
前記火炉の上下方向に複数段配置されている前記燃焼バーナから噴射投入される前記重質油噴霧粒子の粒径は、下段側より上段側が小さくなるように設定されていることを特徴とする重質油焚きボイラの燃焼方法。
【請求項２】
前記燃焼バーナに供給される前記重質油燃料の流量は、下段側より上段側が小量となるように設定されていることを特徴とする請求項１に記載の重質油焚きボイラの燃焼方法。
【請求項３】
燃焼バーナの燃料噴霧器に重質油燃料及び微粒化流体を導入して混合し、微粒化された重質油噴霧粒子を含む混合流体を燃焼用空気とともに火炉内へ噴射投入して燃焼させる重質油焚きボイラであって、
前記燃焼バーナは、前記火炉の上下方向に複数段配置され、かつ、前記燃焼バーナから噴射投入される前記重質油噴霧粒子は、上段側より下段側の粒径が大きくなるように配置されていることを特徴とする重質油焚きボイラ。
【発明の詳細な説明】
【技術分野】
【０００１】
本発明は、アスファルト等の重質油を燃料とする重質油焚きボイラに係り、特に、ボイラから排出される煤塵量を低減する重質油焚きボイラの燃焼方法及び重質油焚きボイラに関する。
【背景技術】
【０００２】
従来の油焚きボイラは、液体燃料を蒸気等の噴霧媒体により微粒化（霧化）させた状態で火炉内に吹き込み、火炎を形成して燃焼させている。このような油焚きバーナで使用される燃焼バーナは、液体燃料及び噴霧媒体の供給配管先端部に設けたバーナチップを備えている。このバーナチップは、液体燃料及び噴霧媒体を混合して微粒化した後、先端に形成された複数の噴出孔から微粒化燃料を噴射可能となっている。
【０００３】
図６に示す実施形態の重質油焚きボイラ１０Ｂは、アスファルト等の重質油を燃焼させるものであり、火炉１１と燃焼装置１２Ｂとを有している。
燃焼装置１２Ｂは、火炉壁の上下方向に複数段（図示の例では５段）が装着された燃焼バーナ２０Ｂを有している。なお、各段には、例えば周方向に沿って４個が均等間隔で配設されており、各段の燃焼バーナ２０Ｂは全て同じ仕様である。
【０００４】
各燃焼バーナ２０Ｂは、燃料の重質油及び噴霧用蒸気を導入し、重質油と噴霧用蒸気とを混合する。この結果、重質油を微粒化して重質油噴霧粒子を含む混合流体が燃焼バーナ２０Ｂから火炉１１内に噴射され、これを燃焼させて火炎を形成する。こうして火炉１１内の下部に火炎が生じると、燃焼ガス（排ガス）が火炉１１内を上昇し、煙道３１を通って排ガス管３７に導かれる。
なお、図中の符号１３は燃料供給配管、１４は蒸気供給配管、３２は二次過熱器、３３は一次過熱器、３４，３５は蒸発器、３６は節炭器で、４０は二次空気（OFA；Over Fire Air）、５０は追加空気投入部より供給される二段燃焼空気（AA；Additional Air）である。
【０００５】
従来の油焚きボイラでは、例えば下記の特許文献１に開示されているように、窒素酸化物（ＮＯｘ）及び煤煙を抑制するため、内部混合形高圧気流噴霧式燃焼方法及び油バーナのバーナチップを改善することが行われている。
また、下記の特許文献２に開示されているように、微粉固体を含有するスラリ状燃料の高効率、低公害燃焼を図るため、内部混合式アトマイザの空気投入方法を改善する技術も知られている。
【先行技術文献】
【特許文献】
【０００６】
【特許文献１】特開２００３−１７２５０５号公報
【特許文献２】特公平８−１２８８号公報
【発明の概要】
【発明が解決しようとする課題】
【０００７】
ところで、アスファルト等の重質油を燃料とする重質油焚きボイラでは、重質油の燃料特性から、燃焼後にボイラから排出される煤塵量（未燃分）が多いという問題を有している。このような煤塵対策として、従来は微粒化に用いる蒸気（噴霧媒体）の消費率をアップさせた低煤塵アトマイザを使用している。しかし、この蒸気は、ボイラで発生させた蒸気の一部を利用するものであるから、消費蒸気量が多いことはボイラ効率の悪化に繋がるため好ましくない。
【０００８】
また、従来の重質油焚きバーナ１０Ｂは、同仕様の燃焼バーナ２０Ｂが上下方向に複数段配置されている。このため、図６に示すように、下段側の燃焼バーナ２０Ｂから投入された重質油噴霧粒子の粒子軌跡（実線表示）と、上段側の燃焼バーナ２０Ｂから投入された重質油噴霧粒子の粒子軌跡（破線表示）とを比較すると、下段側の燃焼バーナ２０Ｂから投入された重質油噴霧粒子の粒子軌跡が長くなり、この結果、重質油噴霧粒子が火炉１１内にある滞留時間も長くなる。
【０００９】
このような背景から、排出される煤塵量を増加させることなく、重質油の微粒化に消費される噴霧媒体の消費率を抑制できる重質油焚きボイラの燃焼方法が望まれる。
本発明は、上記の課題を解決するためになされたもので、その目的とするところは、煤塵排出量を増加させることなく噴霧媒体の消費率抑制が可能となる重質油焚きボイラの燃焼方法及び重質油焚きボイラを提供することにある。
【課題を解決するための手段】
【００１０】
本発明は、上記の課題を解決するため、下記の手段を採用した。
本発明に係る重質油焚きボイラの燃焼方法は、燃焼バーナの燃料噴霧器に重質油燃料及び微粒化流体（噴霧媒体）を導入して混合し、微粒化された重質油噴霧粒子を含む混合流体を燃焼用空気とともに火炉内へ噴射投入して燃焼させる重質油焚きボイラの燃焼方法であって、前記火炉の上下方向に複数段配置されている前記燃焼バーナから噴射投入される前記重質油噴霧粒子の粒径は、下段側より上段側が小さくなるように設定されていることを特徴とするものである。
【００１１】
このような重質油焚きボイラの燃焼方法によれば、火炉の上下方向に複数段配置されている燃焼バーナから噴射投入される重質油噴霧粒子の粒径は、火炉内における重質油噴霧粒子の粒子軌跡が長く滞留時間も長い下段側と比較して、火炉内における重質油噴霧粒子の粒子軌跡が短く滞留時間も短い上段側が小さくなるように設定されている。
すなわち、火炉内の滞留時間が長い（重質油噴霧粒子の燃焼時間が長い）下段側の燃焼バーナには、微粒化流体の消費率が低い大粒径噴霧タイプのアトマイザを採用し、火炉内の滞留時間が短い（重質油噴霧粒子の燃焼時間が短い）上段側の燃焼バーナには、微粒化流体の消費率が高い小粒径噴霧タイプのアトマイザを採用することにより、ボイラ出口の煤塵量を増加させることなく、微粒化流体の消費率を各バーナ段に必要十分な値に抑えることが可能になる。
【００１２】
上記の発明において、前記燃焼バーナに供給される前記重質油燃料の流量は、火炉内の滞留時間が長い下段側より上段側が小量となるように設定されていることが好ましく、これにより、火炉内の粒子軌跡を有効利用したバーナ配置及び燃料分配となる。このため、ボイラ出口の煤塵量を増加させることなく、微粒化流体の消費率を各バーナ段に必要十分な値に抑えることが可能になる。
【００１３】
本発明に係る重質油焚きボイラは、燃焼バーナの燃料噴霧器に重質油燃料及び微粒化流体を導入して混合し、微粒化された重質油噴霧粒子を含む混合流体を燃焼用空気とともに火炉内へ噴射投入して燃焼させる重質油焚きボイラであって、前記燃焼バーナは、前記火炉の上下方向に複数段配置され、かつ、前記燃焼バーナから噴射投入される前記重質油噴霧粒子は、上段側より下段側の粒径が大きくなるように配置されていることを特徴とするものである。
【００１４】
このような重質油焚きボイラによれば、燃焼バーナは、火炉の上下方向に複数段配置され、かつ、燃焼バーナから噴射投入される重質油噴霧粒子は、上段側より下段側の粒径が大きくなるように配置されているので、火炉内の滞留時間が長い下段側の燃焼バーナに微粒化流体の消費率が低い大粒径噴霧タイプのアトマイザを採用し、火炉内の滞留時間が短い上段側の燃焼バーナに微粒化流体の消費率が高い小粒径噴霧タイプのアトマイザを採用することにより、ボイラ出口の煤塵量を増加させることなく、微粒化流体の消費率を各バーナ段に必要十分な値に抑えることが可能になる。
【発明の効果】
【００１５】
上述した本発明によれば、重質油を燃料とする重質油焚きボイラにおいて、火炉内の粒子軌跡（滞留時間）を有効利用することにより、ボイラ出口から排出される煤塵量を増加させることなく、蒸気等の微粒化流体消費率を各バーナ段に必要十分な値に抑えることが可能になる。
【図面の簡単な説明】
【００１６】
【図１】本発明に係る重質油焚きボイラの燃焼方法及び重質油焚きボイラの一実施形態を示す概略構成図である。
【図２】本発明に係る重質油焚きボイラの燃焼バーナを火炉内から見た正面図である。
【図３】図２に示す燃焼バーナの断面図である。
【図４】粒径が異なる重質油噴霧粒子の燃焼プロセスを示す説明図であり、（ａ）は質量（％）と時間の関係を示し、（ｂ）は燃焼プロセスのイメージを示している。
【図５】本発明に係る重質油焚きボイラの燃焼方法及び重質油焚きボイラの変形例を示す概略構成図である。
【図６】重質油焚きボイラの燃焼方法及び重質油焚きボイラの従来例を示す概略構成図である。
【発明を実施するための形態】
【００１７】
以下、本発明に係る重質油焚きボイラの燃焼方法及び重質油焚きボイラの一実施形態を図面に基づいて説明する。
図１に示す実施形態の重質油焚きボイラ１０は、例えば流体燃料としてアスファルト等の重質油を用いるコンベンショナルボイラである。この重質油焚きボイラ１０は、火炉１１と燃焼装置１２とを有している。火炉１１は、四角筒の中空形状をなして鉛直方向に沿って設置され、この火炉１１を構成する火炉壁の下部に燃焼装置１２が設けられている。
【００１８】
燃焼装置１２は、火炉壁に装着された複数の燃焼バーナ２０を有している。本実施形態の燃焼バーナ２０は、周方向に沿って、例えば、４個均等間隔で配設されたものを１セットとして、例えば、５セット、すなわち５段配置されている。なお、燃焼バーナ２０の配置場所や個数については、図示の構成に限定されるものではない。
各燃焼バーナ２０は、燃料の重質油を導入するため、燃料供給配管１３を介して燃料供給源（不図示）に連結されており、燃料供給配管１３には燃料供給量の調整を行う流量調整弁（不図示）が設けられている。また、各燃焼バーナ２０は、微粒化流体の噴霧用蒸気を導入するため、各蒸気供給配管１４を介して蒸気供給源（不図示）に連結されており、蒸気供給配管１４には蒸気供給量の調整を行う流量調整弁（不図示）が設けられている。
【００１９】
従って、各燃焼バーナ２０は、燃料供給源から燃料供給配管１３を通して燃料の重質油が供給されるとともに、蒸気供給源から蒸気供給配管１４を通して噴霧用蒸気が供給されることとなる。このため、各燃焼バーナ２０は、重質油と噴霧用蒸気とを混合することにより、重質油を微粒化して重質油噴霧粒子を含む混合流体として火炉１１内に噴射し、これを燃焼させて火炎を形成することができる。
【００２０】
火炉１１は、上部に煙道３１が連結されている。この煙道３１には、対流伝熱部（熱回収部）として排ガスの熱を回収するため、例えばバーナ側から順に２次過熱器３２，一次過熱器３３，蒸発器３４，３５及び節炭器（エコノマイザ）３６が設けられており、火炉１１での燃焼で発生した排ガスと水との間で熱交換が行われる。なお、これらの熱交換器類については、その配置や数等を例示したものであり、特に限定されるものではない。
煙道３１は、その下流側に熱交換を行った排ガスを排出する排ガス管３７が連結されている。この排ガス管３７には、図示しない脱硫装置、電気集塵機、誘引送風機、脱硫装置が設けられ、下流端部に煙突が設けられている。
【００２１】
従って、燃焼装置１２に各燃焼バーナ２０が重質油と噴霧用蒸気との混合流体を火炉１１内に噴射すると、火炉１１では、混合流体と空気とが燃焼して火炎を生じる。こうして火炉１１内の下部で火炎が生じると、燃焼ガス（排ガス）がこの火炉１１内を上昇し、煙道３１に排出される。なお、下段側の燃焼バーナ２０から投入された重質油噴霧粒子の粒子軌跡（実線表示）は、上段側の燃焼バーナ２０から投入された重質油噴霧粒子の粒子軌跡（破線表示）より長くなり、従って、重質油噴霧粒子が火炉１１内に滞留する時間も長くなる。
【００２２】
このとき、図示しない給水ポンプから供給された水は、節炭器３６によって予熱された後、図示しない蒸気ドラムを介して火炉壁の各水管（図示せず）に供給される間に加熱されて飽和蒸気となり、図示しない蒸気ドラムに送り込まれる。
さらに、図示しない蒸気ドラムの飽和蒸気は二次過熱器３２及び一次過熱器３３に導入され、燃焼ガスによって過熱される。二次過熱器３２及び一次過熱器３３で生成された過熱蒸気は、図示しない発電プラント（例えばタービン等）に供給される。なお、本実施形態では、火炉１１をドラム型（蒸気ドラム）として説明したが、この構造に限定されるものではない。
【００２３】
次に、燃焼装置１２の構成例について詳細に説明する。
本実施形態の燃焼バーナ２０は、例えば図２及び図３に示すように構成されている。図中の符号２１は、燃料の重質油を微粒化して火炉１１内へ噴射投入する重質油噴霧器（燃料噴霧器）である。この重質油噴霧器２１の先端部には、微粒化流体として導入する噴霧用蒸気の圧力によって重質油燃料を微粒化して噴出するため、複数の噴出孔２２ａを有するオイルアトマイザ２２が設けられている。
【００２４】
また、重質油噴霧器２１の外周には、空気取入孔２３ａを有するハウジングチューブ２３が設けられ、その先端部外面には、すなわちオイルアトマイザ２２の近傍には、一次空気（図中の矢印Ａ１）を旋回させて供給するためのスワラー２４が円周方向に複数設けられている。
ハウジングチューブ２３及びスワラー２４の周囲は、二次空気（図中の矢印Ａ２）の空気通路２５を形成するため、筒状のバーナスロート２６で覆われている。さらに、バーナスロート２６の外周には、三次空気（図中の矢印Ａ３）を供給する空気通路２７が設けられており、この空気通路２７内には可変式空気ダンパ２８を装備している。
【００２５】
このような構成の燃焼バーナ２０において、燃料の重質油と噴霧用蒸気は、重質油噴霧器２１の内部を通って先端部のオイルアトマイザ２２に至り、例えば径の異なる大小複数の噴出孔２２ａから重質油を微粒化した混合流体が所定の方向（例えば斜め前方）へ噴出する。この混合流体は、ハウジングチューブ２３内を通ってくる燃焼用空気及びスワラー２４によって旋回しながら供給される一次空気と最初に接触し、互いに混合しつつ火炎域を形成する。
【００２６】
一方、スワラー２４とバーナスロート２６との隙間を通過してくる二次空気、及びバーナスロート２６の外側より供給される三次空気は、一次空気による火炎領域より逸脱した未燃分と混合しつつ、主火炎下流部に安定した火炎域を形成する。
このとき、火炎の状態と、排ガス中のＮＯｘ濃度及び酸素濃度とに応じて、可変式空気ダンパ２８の開度操作をして、三次空気の供給量を調節する。なお、ＮＯｘ濃度及び酸素濃度は、煙道３１の後部適所に設けられた図示しないＮＯｘ濃度計及び酸素濃度計の計測値である。
【００２７】
さて、上述した構成の燃焼バーナ２０において、本実施形態では、以下に説明する燃焼方法を採用する。
すなわち、燃焼バーナ２０の重質油噴霧器２１に重質油燃料及び微粒化流体の蒸気を導入して混合し、微粒化された重質油噴霧粒子を含む混合流体を燃焼用空気とともに火炉内へ噴射投入して燃焼させる重質油焚きボイラ１０において、火炉１１の上下方向に複数段配置されている燃焼バーナ２０から噴射投入される重質油噴霧粒子の粒径が、下段側より上段側を小さく設定した燃焼方法を採用する。
【００２８】
図示の構成例では、上下方向に５段の燃焼バーナ２０が配置され、各段には、例えば周方向に沿って４個が均等間隔で配設されている。
このような燃焼バーナ２０について、例えば下段側の２段に配置する重質油噴霧器２１には、オイルアトマイザ２２に低蒸気消費率の大粒径噴霧タイプを採用し、上段側の２段に配置する重質油噴霧器２１には、オイルアトマイザ２２に高蒸気消費率の小粒径噴霧タイプを採用する。また、中間の１段については、蒸気消費率及び噴射粒径が大粒径噴霧タイプ及び小粒径噴霧タイプの中間となるオイルアトマイザ２２を採用している。なお、各段に配置される複数の燃焼バーナ２０においては、全てに同じオイルアトマイザ２２が採用されている。
【００２９】
この結果、火炉１１の上下方向に５段配置されている燃焼バーナ２０は、火炉１１内に噴射された重質油噴霧粒子の粒子軌跡が長く滞留時間も長い下段側で大きな粒径となるように設定され、かつ、火炉１１内に噴射された重質油噴霧粒子の粒子軌跡が短く滞留時間も短い上段側で小さな粒径となるように設定されている。すなわち、火炉１１内に噴射投入される重質油粒子の粒径は、下段側に配置した燃焼バーナ２０から上段側に配置した燃焼バーナ２０へ段階的に小さくなるように設定されている。換言すれば、上下方向に複数段配置されている燃焼バーナ２０から噴射投入される重質油噴霧粒子の粒径は、滞留時間の長い下段側より滞留時間の短い上段側が小さくなるように設定されている。
【００３０】
このような燃焼方法を採用すれば、微粒化流体として使用される蒸気の消費率は、各バーナ段に必要十分な値に抑えることができ、しかも、ボイラ出口の排ガス管３７から排出される煤塵量を増加させることもない。
これは、図４に基づいて以下に説明する重質油噴霧粒子（以下、「油粒子」ともいう）の燃焼プロセスによるものである。
【００３１】
図４（ｂ）に示す燃焼プロセスの第１段階においては、重質油噴霧器２１から火炉１１内へ向けて流出した油粒子ＰＬ，ＰＳが、重質油噴霧器２１の周囲に投入される一次空気と混合され、さらに、これと同時に火炉１１内の輻射熱を受けて急激に温度上昇する。温度上昇した油粒子ＰＬ，ＰＳでは、熱分解によりガス燃料（揮発分）Ｇを放出するガス化が行われる。
【００３２】
燃焼プロセスの第２段階において、油粒子ＰＬ，ＰＳは、時間経過に伴って火炉１１内のさらに高温の領域へ移動し、ガス化したガス燃料Ｇが燃焼する。また、ガス燃料Ｇの燃焼と同時に、油粒子ＰＬ，ＰＳの残留固形物である粒子状のチャーＣが温度上昇して高温化する。この時点が最も高温の領域となり、揮発分Ｇの燃焼は完了し、さらに、炭素分を主体とするチャーＣの燃焼が開始される。
【００３３】
そして、さらに時間が経過した第３段階において、チャーＣ及びガス燃料Ｇに分解された油粒子ＰＬ，ＰＳは、ガス燃料Ｇの消失により残ったチャーＣが火炉１１内を移動し、第２段階より温度の低い領域に到達する。このため、チャーＣの燃焼は、最も高温の領域から温度低下した領域で行われることとなり、最終段階では、未燃分の粒子及び灰よりなる煤塵Ｃａが火炉１１の外部へ排出される。
【００３４】
図４（ａ）に示すように、大粒径の油粒子ＰＬ及び小粒径の油粒子ＰＳは、横軸の滞留時間が経過することにより質量（％）が減少する。なお、滞留時間の経過は、粒子軌跡が長くなることを意味している。
【００３５】
図４（ａ）では、大粒径の油粒子ＰＬが質量５０％の状態に到達する滞留時間と比較して、少粒径の油粒子ＰＳは短時間の滞留時間で同じ状態に到達している。従って、滞留時間の長い下段側で微粒化に使用する蒸気量を低減して粒径を大きくしても、上述した燃焼プロセスにおいては、滞留時間が長い分だけ小粒径と略同じ状態まで燃焼が進行する。
従って、上述した燃焼方法のように、微粒化流体として使用される蒸気の消費率を各バーナ段に必要十分な値に抑えても、ボイラ出口の排ガス管３７から排出される煤塵量が増加するようなことはない。すなわち、火炉１１の粒子軌跡を有効活用して、粒径の異なる重質油噴霧粒子を確実に燃焼させることで、煤塵排出量の増加を防止できる。
【００３６】
ところで、上述した実施形態では、上下方向に５段の燃焼バーナ２０について、下段側から大中小の順に異なる三種類の粒子径を採用しているが、各段に異なる粒子径を採用して下段側から上段側へ小径としてもよい。
また、燃焼バーナ２０の上下方向段数は５段に限定されることはなく、他の複数段（例えば２〜６段程度）においても、本実施形態と同様に下段側から上段側へ小径となるようにすればよい。
【００３７】
また、図５に示す変形例の重質油焚きボイラ１０Ａにおいて、燃焼装置１２Ａの燃焼バーナ２０Ａは、各段で噴射する粒径が異なるだけでなく、供給する重質油燃料の流量についても、火炉１１内の滞留時間が長い下段側より上段側が小量となるように設定されている。
このようにしても、火炉１１内の粒子軌跡を有効利用したバーナ配置及び燃料分配となり、滞留時間の長い下段側から噴射投入する燃料割合を増しても重質油噴霧粒子を確実に燃焼させて煤塵排出量の増加を防止できる。従って、ボイラ出口の煤塵量を増加させることなく、微粒化流体の消費率を各バーナ段に必要十分な値に抑えることが可能になる。
【００３８】
また、本実施形態の重質油焚きボイラ１０，１０Ａは、燃料噴霧器２１に重質油燃料及び蒸気を導入して混合する燃焼バーナ２０，２０Ａについて、噴射投入される重質油噴霧粒子の粒径が大きいものを下段側に配置し、上段側程粒径が大きくなるように配置している。すなわち、火炉１１内の滞留時間が長い下段側の燃焼バーナ燃焼バーナ２０，２０Ａに蒸気消費率が低い大粒径噴霧タイプのオイルアトマイザ２２を採用し、火炉１１内の滞留時間が短い上段側の燃焼バーナ燃焼バーナ２０，２０Ａに蒸気消費率が高い小粒径噴霧タイプのオイルアトマイザ２２を採用している。
【００３９】
このように、火炉１１内の粒子軌跡を有効利用して重質油噴霧粒子を燃焼させるバーナ配置の重質油焚きボイラ１０，１０Ａは、ボイラ出口の煤塵量を増加させることなく、微粒化流体の蒸気消費率を各バーナ段に必要十分な値に抑えることが可能になる。
なお、本発明は上述した実施形態に限定されることはなく、たとえば微粒化流体としてくうきの利用が可能であるなど、その要旨を逸脱しない範囲内において適宜変更することができる。
【符号の説明】
【００４０】
１０，１０Ａ，１０Ｂ    重質油焚きボイラ
１１    火炉
１２，１２Ａ，１２Ｂ    燃焼装置
１３    燃料供給配管
１４    蒸気供給配管
２０，２０Ａ，２０Ｂ    燃焼バーナ
２１    重質油噴霧器（燃料噴霧器）
２２    オイルアトマイザ
２２ａ    噴出孔
２３    ハウジングチューブ
２３ａ    空気取入孔
２４    スワラー
２５，２７    空気通路
２６    バーナスロート
２８    可変式空気ダンパ
３１    煙道
【図１】
2015124942.tif 000003
【図２】
2015124942.tif 000004
【図３】
2015124942.tif 000005
【図４】
2015124942.tif 000006
【図５】
2015124942.tif 000007
【図６】
2015124942.tif 000008